(57)【要約】      （修正有）【課題】問診票の入力情報の精度を向上させる。【解決手段】問診情報入力支援プログラムは、患者の識別情報の入力を受け付けるとともに、患者が受ける診察科の選択を受け付け、患者の識別情報と患者のカルテ情報とを対応付けて記憶する記憶部を参照して、患者のカルテ情報に含まれる患者の属性情報を特定する。また、問診情報入力支援プログラムは、記憶部を参照して、患者の過去の問診入力情報がある場合には過去の問診入力情報を特定する。そして、選択を受け付けた診察科の問診の入力を受け付ける画面を表示する際に、属性情報と過去の問診入力情報に対応する項目については入力済みの状態にして画面を表示する。【選択図】図１４
2019091219.tif 000002
【特許請求の範囲】
【請求項１】
患者の識別情報の入力を受け付けるとともに、前記患者が受ける診察科の選択を受け付け、
患者の識別情報と患者のカルテ情報とを対応付けて記憶する記憶部を参照して、前記患者のカルテ情報に含まれる前記患者の属性情報を特定するとともに、前記患者の過去の問診入力情報がある場合には、前記過去の問診入力情報を特定し、
選択を受け付けた前記診察科の問診の入力を受け付ける画面を表示する際に、前記属性情報と前記過去の問診入力情報に対応する項目については入力済みの状態にして前記画面を表示する、
処理をコンピュータに実行させることを特徴とする問診情報入力支援プログラム。
【請求項２】
特定の患者の問診データの入力の際に、問診項目についての入力結果を記憶する記憶部から該特定の患者に対応する過去の入力結果を取得し、
第１のグループに属する問診項目については、前記過去の入力結果に基づいて、予め各項目についてデータを入力済の画面を提示するとともに、該第１のグループに属する全項目、または、一部の項目についての一括した確認操作を要求し、
前記一括した確認操作に応じて表示する、第２のグループに属する問診項目については、前記過去の入力結果に基づいて予め各項目についてデータを入力済の画面を提示するとともに、該第２のグループに属する個別の項目について確認操作を要求する、
処理をコンピュータに実行させることを特徴とする問診情報入力制御プログラム。
【請求項３】
前記第２のグループに属する個別の項目について確認操作が完了したことを検出すると、第３のグループに属する項目について、前記過去の入力結果を反映させない状態で各項目の入力画面を表示する、
処理をコンピュータに実行させることを特徴とする請求項２に記載の問診情報入力制御プログラム。
【請求項４】
前記問診項目は、項目ごとに基礎点が設定され、
前記基礎点に対して所定の条件に基づき加点または減点した点数に応じて、前記問診項目を前記第１のグループ、前記第２のグループまたは前記第３のグループに分類する、
処理をコンピュータに実行させることを特徴とする請求項３に記載の問診情報入力制御プログラム。
【請求項５】
前記所定の条件は、前記特定の患者の属性、および、前記特定の患者の前回来院日のうち、１つまたは複数に基づく条件である、
ことを特徴とする請求項４に記載の問診情報入力制御プログラム。
【請求項６】
前記特定の患者が受診する病院に来院した場合に、該病院の情報処理装置に対して、前記確認操作の操作情報、および、前記入力画面における入力情報を送信する、
処理をコンピュータに実行させることを特徴とする請求項３〜５のいずれか１つに記載の問診情報入力制御プログラム。
【請求項７】
前記入力画面における入力情報と関連する項目の情報が未更新の場合、該関連する項目について、再度確認操作を要求する、
処理をコンピュータに実行させることを特徴とする請求項３〜６のいずれか１つに記載の問診情報入力制御プログラム。
【請求項８】
患者の識別情報の入力を受け付けるとともに、前記患者が受ける診察科の選択を受け付け、
患者の識別情報と患者のカルテ情報とを対応付けて記憶する記憶部を参照して、前記患者のカルテ情報に含まれる前記患者の属性情報を特定するとともに、前記患者の過去の問診入力情報がある場合には、前記過去の問診入力情報を特定し、
選択を受け付けた前記診察科の問診の入力を受け付ける画面を表示する際に、前記属性情報と前記過去の問診入力情報に対応する項目については入力済みの状態にして前記画面を表示する、
処理をコンピュータが実行することを特徴とする問診情報入力支援方法。
【請求項９】
特定の患者の問診データの入力の際に、問診項目についての入力結果を記憶する記憶部から該特定の患者に対応する過去の入力結果を取得し、
第１のグループに属する問診項目については、前記過去の入力結果に基づいて、予め各項目についてデータを入力済の画面を提示するとともに、該第１のグループに属する全項目、または、一部の項目についての一括した確認操作を要求し、
前記一括した確認操作に応じて表示する、第２のグループに属する問診項目については、前記過去の入力結果に基づいて予め各項目についてデータを入力済の画面を提示するとともに、該第２のグループに属する個別の項目について確認操作を要求する、
処理をコンピュータが実行することを特徴とする問診情報入力制御方法。
【請求項１０】
患者の識別情報の入力を受け付けるとともに、前記患者が受ける診察科の選択を受け付ける受付部と、
患者の識別情報と患者のカルテ情報とを対応付けて記憶する記憶部を参照して、前記患者のカルテ情報に含まれる前記患者の属性情報を特定するとともに、前記患者の過去の問診入力情報がある場合には、前記過去の問診入力情報を特定する特定部と、
選択を受け付けた前記診察科の問診の入力を受け付ける画面を表示する際に、前記属性情報と前記過去の問診入力情報に対応する項目については入力済みの状態にして前記画面を表示する表示制御部と、
を有することを特徴とする情報処理端末。
【請求項１１】
特定の患者の問診データの入力の際に、問診項目についての入力結果を記憶する記憶部から該特定の患者に対応する過去の入力結果を取得する取得部と、
第１のグループに属する問診項目については、前記過去の入力結果に基づいて、予め各項目についてデータを入力済の画面を提示するとともに、該第１のグループに属する全項目、または、一部の項目についての一括した確認操作を要求する第１要求部と、
前記一括した確認操作に応じて表示する、第２のグループに属する問診項目については、前記過去の入力結果に基づいて予め各項目についてデータを入力済の画面を提示するとともに、該第２のグループに属する個別の項目について確認操作を要求する第２要求部と、
を有することを特徴とする情報処理端末。
【発明の詳細な説明】
【技術分野】
【０００１】
本発明は、問診情報入力支援プログラム、問診情報入力制御プログラム、問診情報入力支援方法、問診情報入力制御方法および情報処理端末に関する。
【背景技術】
【０００２】
従来、病院を受診する際には、初診や科初診等の場合に、病院の受付において問診票の記入を求められる。問診票の記入は、項目に過去の手術歴や他院で処方されている薬等の患者の記憶に頼って記入する項目もあり、記載内容が曖昧となることがある。また、患者は、項目の内容を思い出しながら記入するため、問診票の項目を埋めるのに時間がかかる場合がある。これに対し、患者の電子メールやＳＮＳ（Social  Networking  Service）の履歴を参照して患者の行動履歴を表示することで、問診票の記入を支援することが提案されている。また、スマートフォンやパーソナルコンピュータ（以下、ＰＣという。）等を用いて、インターネットを介して事前に問診票を記入することが行われている。
【先行技術文献】
【特許文献】
【０００３】
【特許文献１】特開２０１７−０２１７２４号公報
【発明の概要】
【発明が解決しようとする課題】
【０００４】
しかしながら、スマートフォン等を用いて事前に問診票を記入できるようにした場合、入力の手間を省くために、過去の当該患者の問診票データをプレ表示すると、内容をよく確認せずに、そのまま再利用してしまう恐れがある。このため、問診票の入力情報の精度が低下してしまう場合がある。
【０００５】
一つの側面では、問診票の入力情報の精度を向上できる問診情報入力支援プログラム、問診情報入力制御プログラム、問診情報入力支援方法、問診情報入力制御方法および情報処理端末を提供することにある。
【課題を解決するための手段】
【０００６】
一つの態様では、問診情報入力支援プログラムは、患者の識別情報の入力を受け付けるとともに、前記患者が受ける診察科の選択を受け付ける処理をコンピュータに実行させる。問診情報入力支援プログラムは、患者の識別情報と患者のカルテ情報とを対応付けて記憶する記憶部を参照して、前記患者のカルテ情報に含まれる前記患者の属性情報を特定する処理をコンピュータに実行させる。また、問診情報入力支援プログラムは、前記記憶部を参照して、前記患者の過去の問診入力情報がある場合には、前記過去の問診入力情報を特定する処理をコンピュータに実行させる。問診情報入力支援プログラムは、選択を受け付けた前記診察科の問診の入力を受け付ける画面を表示する際に、前記属性情報と前記過去の問診入力情報に対応する項目については入力済みの状態にして前記画面を表示する処理をコンピュータに実行させる。
【発明の効果】
【０００７】
問診票の入力情報の精度を向上できる。
【図面の簡単な説明】
【０００８】
【図１】図１は、実施例の入力制御システムの構成の一例を示すブロック図である。
【図２】図２は、電子カルテ記憶部の一例を示す図である。
【図３】図３は、問診票記憶部の一例を示す図である。
【図４】図４は、基礎点記憶部の一例を示す図である。
【図５】図５は、加点記憶部の一例を示す図である。
【図６】図６は、閾値記憶部の一例を示す図である。
【図７】図７は、相関チェック条件記憶部の一例を示す図である。
【図８】図８は、問診項目の分類の一例を示す図である。
【図９】図９は、各ブロックの入力画面の一例を示す図である。
【図１０】図１０は、Ａブロックのメッセージおよび入力画面の一例を示す図である。
【図１１】図１１は、Ｂブロックのメッセージおよび入力画面の一例を示す図である。
【図１２】図１２は、Ｃブロックのメッセージおよび入力画面の一例を示す図である。
【図１３】図１３は、再確認画面の一例を示す図である。
【図１４】図１４は、実施例の入力制御処理の一例を示すフローチャートである。
【図１５】図１５は、実施例の入力制御処理の一例を示すフローチャートである。
【図１６】図１６は、問診情報入力支援プログラムまたは問診情報入力制御プログラムを実行するコンピュータの一例を示す図である。
【発明を実施するための形態】
【０００９】
以下、図面に基づいて、本願の開示する問診情報入力支援プログラム、問診情報入力制御プログラム、問診情報入力支援方法、問診情報入力制御方法および情報処理端末の実施例を詳細に説明する。なお、本実施例により、開示技術が限定されるものではない。また、以下の実施例は、矛盾しない範囲で適宜組みあわせてもよい。
【実施例】
【００１０】
図１は、実施例の入力制御システムの構成の一例を示すブロック図である。図１に示す入力制御システム１は、携帯端末１００と情報処理装置２００とを有する。なお、入力制御システム１では、携帯端末１００の数は限定されず、任意の数の携帯端末１００を有するようにしてもよい。携帯端末１００と情報処理装置２００との間は、ネットワークＮを介して、相互に通信可能に接続される。
【００１１】
かかるネットワークＮには、有線または無線を問わず、インターネットを始め、ＬＡＮ（Local  Area  Network）やＶＰＮ（Virtual  Private  Network）などの任意の種類の通信網を採用できる。また、ネットワークＮを介する携帯端末１００と情報処理装置２００との通信は、例えば、ＴＬＳ（Transport  Layer  Security）／ＳＳＬ（Secure  Sockets  Layer）等によって暗号化されている。
【００１２】
入力制御システム１は、携帯端末１００において、予め問診票の記入を行うシステムの一例である。携帯端末１００は、例えば、スマートフォン等の移動体通信端末等や可搬型のＰＣ等の各種端末であり、例えば、自宅等の病院外にいる患者が問診票の記入を行う情報処理端末である。携帯端末１００は、病院の予約や問診票の入力を行うコンシェルジュのアプリを起動することで、各種の処理を行う。また、携帯端末１００は、コンシェルジュのアプリの起動時にＢｌｕｅｔｏｏｔｈ（登録商標）をオンにすることで、病院内に設置されたビーコン発振器からのビーコンを受信できる状態となる。なお、ビーコンは、例えば、ＢＬＥ（Bluetooth（登録商標）  Low  Energy）を用いることができる。
【００１３】
携帯端末１００は、患者の識別情報の入力を受け付けるとともに、患者が受ける診察科の選択を受け付ける。携帯端末１００は、患者の識別情報と患者のカルテ情報とを対応付けて記憶する記憶部を参照して、患者のカルテ情報に含まれる患者の属性情報を特定するとともに、患者の過去の問診入力情報がある場合には、過去の問診入力情報を特定する。携帯端末１００は、選択を受け付けた診察科の問診の入力を受け付ける画面を表示する際に、属性情報と過去の問診入力情報に対応する項目については入力済みの状態にして画面を表示する。これにより、携帯端末１００は、問診票の入力情報の精度を向上できる。
【００１４】
また、携帯端末１００は、特定の患者の問診データの入力の際に、問診項目についての入力結果を記憶する記憶部から該特定の患者に対応する過去の入力結果を取得する。携帯端末１００は、第１のグループに属する問診項目については、過去の入力結果に基づいて、予め各項目についてデータを入力済の画面を提示するとともに、該第１のグループに属する全項目、または、一部の項目についての一括した確認操作を要求する。携帯端末１００は、一括した確認操作に応じて表示する、第２のグループに属する問診項目については、過去の入力結果に基づいて予め各項目についてデータを入力済の画面を提示するとともに、該第２のグループに属する個別の項目について確認操作を要求する。これにより、携帯端末１００は、問診票の入力情報の精度を向上できる。
【００１５】
情報処理装置２００は、病院内やクラウド上に設けられ、電子カルテの管理、診察の受け付けや予約の管理等を行う情報処理装置である。情報処理装置２００は、携帯端末１００からの指示に従って、患者のカルテ情報や過去の問診入力情報等を携帯端末１００に送信する。また、情報処理装置２００は、携帯端末１００から受信した問診入力情報を記憶する。
【００１６】
次に、携帯端末１００の構成について説明する。図１に示すように、携帯端末１００は、通信部１１０と、表示操作部１１１と、記憶部１２０と、制御部１３０とを有する。なお、携帯端末１００は、図１に示す機能部以外にも既知のコンピュータが有する各種の機能部、例えば各種の入力デバイスや音声出力デバイス等の機能部を有することとしてもかまわない。
【００１７】
通信部１１０は、例えば、無線ＬＡＮや各種の移動通信システム等の通信モジュール等によって実現される。通信部１１０は、ネットワークＮを介して情報処理装置２００と無線で接続され、情報処理装置２００との間で情報の通信を司る通信インタフェースである。通信部１１０は、制御部１３０から入力された患者の識別情報、診察科情報および問診入力情報を情報処理装置２００に送信する。また、通信部１１０は、情報処理装置２００から受信した患者の電子カルテ情報および問診票情報を制御部１３０に出力する。
【００１８】
表示操作部１１１は、各種情報を表示するための表示デバイス、および、ユーザである患者から各種操作を受け付ける入力デバイスである。例えば、表示操作部１１１は、表示デバイスとして液晶ディスプレイ等によって実現される。また、例えば、表示操作部１１１は、入力デバイスとして、タッチパネル等によって実現される。つまり、表示操作部１１１は、表示デバイスと入力デバイスとが一体化される。表示操作部１１１は、ユーザユーザである患者によって入力された操作を操作情報として制御部１３０に出力する。
【００１９】
記憶部１２０は、例えば、ＲＡＭ（Random  Access  Memory）、フラッシュメモリ（Flash  Memory）等の半導体メモリ素子、ハードディスクや光ディスク等の記憶装置によって実現される。記憶部１２０は、電子カルテ記憶部１２１と、問診票記憶部１２２と、基礎点記憶部１２３と、加点記憶部１２４と、閾値記憶部１２５と、相関チェック条件記憶部１２６とを有する。また、記憶部１２０は、制御部１３０での処理に用いる情報を記憶する。
【００２０】
電子カルテ記憶部１２１は、情報処理装置２００から取得した携帯端末１００のユーザである患者の電子カルテ情報を記憶する。図２は、電子カルテ記憶部の一例を示す図である。図２に示すように、電子カルテ記憶部１２１は、「患者ＩＤ（Identifier）」、「患者氏名」、「住所」、「性別」、「アレルギー」、「診療歴」、「処方薬歴」といった項目を有する。
【００２１】
「患者ＩＤ」は、患者を識別する識別子である。「患者氏名」は、患者の氏名を示す情報である。「住所」は、患者の住所を示す情報である。「性別」は、患者の性別を示す情報である。「アレルギー」は、患者の食物アレルギー等のアレルギーの情報を示す。「診療歴」は、患者が過去に病院を受診した際の病名等の情報である。「処方薬歴」は、患者が過去に病院を受診した際の処方薬の情報である。
【００２２】
図１の説明に戻って、問診票記憶部１２２は、情報処理装置２００から取得した携帯端末１００のユーザである患者の過去の問診入力情報および今回の問診入力情報を記憶する。図３は、問診票記憶部の一例を示す図である。図３に示すように、問診票記憶部１２２は、「患者ＩＤ」、「問診入力日」、「体重」、「家族既往歴」、「家族既往歴対象」、「患者主訴」、「食事」といった項目を有する。
【００２３】
「患者ＩＤ」は、患者を識別する識別子である。「問診入力日」は、今回の問診票の入力日を示す情報である。なお、「問診入力日」は、時刻を含んでもよい。「体重」は、患者の体重を示す情報である。「家族既往歴」は、患者の家族における病気や怪我の既往歴を示す情報である。「家族既往歴対象」は、家族既往歴欄の既往歴の対象となる家族を示す情報である。「患者主訴」は、患者が今回の来院で訴えている症状等を示す情報である。「食事」は、患者が今回の来院前において食事を取ったかどうかを示す情報である。
【００２４】
図１の説明に戻って、基礎点記憶部１２３は、問診票の各項目を分類するための点数の基礎点を記憶する。図４は、基礎点記憶部の一例を示す図である。図４に示すように、基礎点記憶部１２３は、「問診票項目ＩＤ」、「問診票項目名」、「基礎点」といった項目を有する。基礎点記憶部１２３は、例えば、問診票項目ＩＤごとに１レコードとして記憶する。
【００２５】
「問診票項目ＩＤ」は、問診票の各項目、つまり問診項目を識別する識別子である。「問診票項目名」は、問診項目の名称を示す情報である。「基礎点」は、問診項目をいずれかのグループ、例えば、Ａ，Ｂ，Ｃブロックの３つに対応するグループに分類するための点数のうち、基礎となる点数を示す情報である。なお、以下の説明では、問診項目を分類するグループを、問診票入力画面における配置ブロックと対応付けて、ブロックとも表現する。
【００２６】
図１の説明に戻って、加点記憶部１２４は、問診項目の基礎点に対して、条件に応じて加点または減点を行う点数を記憶する。図５は、加点記憶部の一例を示す図である。図５に示すように、加点記憶部１２４は、「問診票項目ＩＤ」、「問診票項目名」、「条件」、「加点または減点」といった項目を有する。加点記憶部１２４は、例えば、問診票項目名に対応する条件ごとに１レコードとして記憶する。
【００２７】
「問診票項目ＩＤ」は、問診項目を識別する識別子である。「問診票項目名」は、問診項目の名称を示す情報である。「条件」は、対応する問診票項目名に対する条件を示す情報である。「加点または減点」は、条件を満たす場合に、当該問診票項目名の基礎点に加点または減点する点数を示す情報である。
【００２８】
図１の説明に戻って、閾値記憶部１２５は、問診項目を分類するブロックと条件とを対応付けて記憶する。図６は、閾値記憶部の一例を示す図である。図６に示すように、閾値記憶部１２５は、「配置ブロック」、「条件」といった項目を有する。閾値記憶部１２５は、例えば、配置ブロックごとに１レコードとして記憶する。
【００２９】
「配置ブロック」は、問診票入力画面における問診項目を分類するブロックを示す情報である。「条件」は、問診項目を各ブロックに分類する際の条件を示す情報である。「条件」は、問診項目の基礎点に応じてデフォルトで配置されるブロックを示す。つまり、問診項目は、基礎点に応じて配置されるブロックが仮決定され、加点または減点を行う条件に基づいて、ブロック間を移動することになる。
【００３０】
図１の説明に戻って、相関チェック条件記憶部１２６は、問診項目間の相関チェックを行う条件を記憶する。図７は、相関チェック条件記憶部の一例を示す図である。図７に示すように、相関チェック条件記憶部１２６は、「入力項目」、「条件」、「処理」といった項目を有する。相関チェック条件記憶部１２６は、例えば、相関関係を有する入力項目ごとに１レコードとして記憶する。
【００３１】
「入力項目」は、他の問診項目と相関関係を有し、内容の再入力や確認を求める項目を示す情報である。「条件」は、対応する入力項目について内容の再入力や確認を求める条件を示す情報である。「処理」は、条件を満たす場合に行う内容の再入力や確認を求める処理を示す情報である。図７の１行目の例では、条件「服薬情報にメディエータ遊離抑制薬系が追加、かつ、アレルギー内容に変更なし」を満たす場合に、入力項目「アレルギー」について、処理「アレルギー欄再確認処理」を行うことを示す。
【００３２】
図１の説明に戻って、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。制御部１３０は、受付部１３１と、特定部１３２と、分類部１３３と、第１要求部１３４と、第２要求部１３５と、表示制御部１３６とを有し、以下に説明する情報処理の機能や作用を実現または実行する。なお、制御部１３０の内部構成は、図１に示した構成に限られず、後述する情報処理を行う構成であれば他の構成であってもよい。
【００３３】
受付部１３１は、問診票の入力を行うアプリの受付画面において、患者の識別情報および診察科の選択を受け付ける。受付部１３１は、受け付けた患者の識別情報および選択された診察科を示す診察科情報を、通信部１１０およびネットワークＮを介して、病院の情報処理装置２００に送信する。
【００３４】
受付部１３１は、患者の識別情報および診察科情報を送信後、ネットワークＮおよび通信部１１０を介して、情報処理装置２００から対応する患者の電子カルテ情報および問診票情報を受信して取得する。受付部１３１は、取得した電子カルテ情報および問診票情報を、それぞれ電子カルテ記憶部１２１および問診票記憶部１２２に記憶する。受付部１３１は、電子カルテ情報および問診票情報の記憶が完了すると、特定部１３２に患者の識別情報および特定指示を出力する。
【００３５】
言い換えると、受付部１３１は、患者の識別情報の入力を受け付けるとともに、患者が受ける診察科の選択を受け付ける。また、受付部１３１は、特定の患者の問診データの入力の際に、問診項目についての入力結果を記憶する記憶部から該特定の患者に対応する過去の入力結果を取得する。つまり、受付部１３１は、取得部の一例でもある。
【００３６】
特定部１３２は、受付部１３１から患者の識別情報および特定指示が入力されると、電子カルテ記憶部１２１を参照し、患者の属性情報を特定する。なお、患者の属性情報は、例えば、患者氏名、住所、性別等である。また、特定部１３２は、問診票記憶部１２２を参照し、過去の問診入力情報を特定する。特定部１３２は、特定した患者の属性情報および過去の問診入力情報を分類部１３３に出力する。
【００３７】
言い換えると、特定部１３２は、患者の識別情報と患者のカルテ情報とを対応付けて記憶する記憶部を参照して、患者のカルテ情報に含まれる患者の属性情報を特定するとともに、患者の過去の問診入力情報がある場合には、過去の問診入力情報を特定する。
【００３８】
分類部１３３は、特定部１３２から患者の属性情報および過去の問診入力情報が入力されると、基礎点記憶部１２３を参照し、問診項目に対応する基礎点を取得する。分類部１３３は、閾値記憶部１２５を参照し、問診項目をＡ，Ｂ，Ｃブロックの各ブロックに分類する。なお、この時点で問診項目が分類されるブロックが、それぞれの問診項目が分類される初期値となる。
【００３９】
分類部１３３は、加点記憶部１２４を参照し、問診項目に対して加点または減点があるか否かを判定する。すなわち、分類部１３３は、患者の属性情報および過去の問診入力情報に基づいて、問診項目ごとに所定の条件を満たすか否かを判定する。分類部１３３は、所定の条件を満たす問診項目に対して、加点または減点を行って問診項目の点数を決定する。分類部１３３は、所定の条件を満たさない問診項目に対しては、加点または減点を行わず、基礎点を問診項目の点数と決定する。
【００４０】
分類部１３３は、各問診項目の点数を決定すると、閾値記憶部１２５を参照し、ブロック間で移動する問診項目を抽出する。分類部１３３は、抽出した問診項目を移動先のブロックに移動する。例えば、問診項目「住所」は、基礎点が０点であり、初期値ではＡブロックに配置される。ところが、問診項目「住所」は、所定の条件として「前回来院日より５年以上経過」という条件を満たす場合、１点加点される。このため、問診項目「住所」の点数は１点となる。すると、問診項目「住所」は、閾値記憶部１２５の条件に基づいて、配置ブロックがＡブロックからＢブロックに移動することになる。
【００４１】
なお、分類部１３３は、問診項目に対応する基礎点を取得した後、患者の属性情報および過去の問診入力情報に基づいて、問診項目に対して加点または減点を行って問診項目の点数を決定してから、各ブロックに分類するようにしてもよい。すなわち、分類部１３３は、基礎点に対して所定の条件に基づき加点または減点した点数に応じて、問診項目を第１のグループ、第２のグループまたは第３のグループに分類する。また、所定の条件は、特定の患者の属性、および、特定の患者の前回来院日のうち、１つまたは複数に基づく条件である。
【００４２】
分類部１３３は、問診項目の各ブロックへの分類が完了すると、分類したＡ，Ｂ，Ｃブロックの選択画面を生成し、生成した選択画面を表示操作部１１１に表示する。分類部１３３は、選択画面を表示すると、所定の時間待機後、例えば３秒間待機後に、第１要求部１３４に患者の属性情報、過去の問診入力情報および第１確認指示を出力する。なお、分類部１３３は、選択画面においてブロックが選択された場合、当該ブロックのメッセージおよび入力画面の表示に遷移する。また、分類部１３３は、Ａブロックから順に１つずつブロックの選択を受け付けるようにしてもよい。
【００４３】
ここで、図８および図９を用いて問診項目の分類と各入力画面とについて説明する。図８は、問診項目の分類の一例を示す図である。図８に示すように、例えば、携帯端末１００には、初期状態表示例として、Ａブロックに問診項目「氏名」、「住所」、「体重」が分類される。また、Ｂブロックには、問診項目「既往歴」、「服薬情報」が分類される。また、Ｃブロックには、問診項目「患者主訴」、「生理情報」が分類される。一方、問診項目に対する加点判定後の表示例としては、Ａブロックに問診項目「氏名」、「住所」が分類される。また、Ｂブロックには、問診項目「体重」、「既往歴」が分類される。また、Ｃブロックには、問診項目「服薬情報」、「患者主訴」、「生理情報」が分類される。つまり、加点判定後では、問診項目「体重」は、枠２０で示すように、ＡブロックからＢブロックに移動する。同様に、問診項目「服薬情報」は、枠２１で示すように、ＢブロックからＣブロックに移動する。このように、携帯端末１００では、加点または減点の条件に応じて、問診項目を分類するブロックを変化させることで、問診項目の一括確認、個別確認および入力を制御することができる。すなわち、携帯端末１００では、患者によって問診票の見え方が異なることになる。
【００４４】
図９は、各ブロックの入力画面の一例を示す図である。図９に示すように、問診票入力画面では、選択画面２２が携帯端末１００に表示され、その後に各ブロックの入力画面に遷移する。Ａブロックの入力画面では、例えば、患者の属性情報の各項目についてプレ表示後、内容に変更はないか確認するメッセージ（一括確認メッセージ）が表示される。Ａブロックの入力画面では、例えば、一括確認メッセージに応じて「ＯＫ」ボタンが押下されることで、一括確認が完了する。Ｂブロックの入力画面では、例えば、過去の問診入力情報の各項目について、項目ごとに変更を確認するメッセージ（個別確認メッセージ）が表示される。Ｂブロックの入力画面では、例えば、項目ごとに個別確認メッセージに応じて「ＯＫ」ボタンが押下されることで、各項目の個別確認が完了する。Ｃブロックの入力画面では、例えば、患者主訴等の各項目について、全て最新情報を入力するメッセージ（全て入力するメッセージ）が表示される。Ｃブロックの入力画面では、例えば、項目ごとに患者の入力を受け付けた後に「ＯＫ」ボタンが押下されることで、各項目の入力が完了する。
【００４５】
第１要求部１３４は、分類部１３３から患者の属性情報、過去の問診入力情報および第１確認指示が入力されると、一括した確認操作に対応するメッセージを表示操作部１１１に表示する。その後、第１要求部１３４は、問診項目について過去のデータを入力済みのＡブロックの入力画面を表示操作部１１１に表示する。第１要求部１３４は、過去のデータを入力済みのＡブロックの問診項目について、一括した確認操作を要求する。なお、一括した確認操作は、Ａブロックの問診項目の一部の項目であってもよい。第１要求部１３４は、患者により一括した確認操作が行われると、当該確認操作に対応する第１確認済情報を第２要求部１３５に出力する。なお、第１確認済情報は、確認操作の操作情報の一例である。また、第１要求部１３４は、患者の属性情報、過去の問診入力情報および第２確認指示を第２要求部１３５に出力する。なお、第１要求部１３４は、Ａブロックの問診項目について、患者より修正が行われた場合、修正内容を患者の属性情報および過去の問診入力情報に反映する。
【００４６】
言い換えると、第１要求部１３４は、第１のグループに属する問診項目については、過去の入力結果に基づいて、予め各項目についてデータを入力済の画面を提示するとともに、該第１のグループに属する全項目、または、一部の項目についての一括した確認操作を要求する。
【００４７】
第２要求部１３５には、第１要求部１３４から第１確認済情報、患者の属性情報、過去の問診入力情報および第２確認指示が入力される。第２要求部１３５は、第２確認指示が入力されると、個別の確認操作に対応するメッセージを表示操作部１１１に表示する。その後、第２要求部１３５は、問診項目について過去のデータを入力済みのＢブロックの入力画面を表示操作部１１１に表示する。第２要求部１３５は、過去のデータを入力済みのＢブロックの問診項目について、項目ごとに確認操作を要求する。第２要求部１３５は、患者により項目ごとに確認操作が行われ、Ｂブロックの全ての項目について確認操作が完了すると、当該確認操作に対応する第２確認済情報を表示制御部１３６に出力する。なお、第２確認済情報は、確認操作の操作情報の一例である。また、第２要求部１３５は、第１確認済情報、患者の属性情報、過去の問診入力情報および入力指示を表示制御部１３６に出力する。なお、第２要求部１３５は、第１要求部１３４と同様に、Ｂブロックの問診項目について、患者より修正が行われた場合、修正内容を患者の属性情報および過去の問診入力情報に反映する。
【００４８】
言い換えると、第２要求部１３５は、一括した確認操作に応じて表示する、第２のグループに属する問診項目については、過去の入力結果に基づいて予め各項目についてデータを入力済の画面を提示する。また、第２要求部１３５は、データを入力済の画面を提示するとともに、該第２のグループに属する個別の項目について確認操作を要求する。
【００４９】
表示制御部１３６には、第２要求部１３５から第１確認済情報、第２確認済情報、患者の属性情報、過去の問診入力情報および入力指示が入力される。表示制御部１３６は、入力指示が入力されると、現在の状態の入力に対応するメッセージを表示操作部１１１に表示する。その後、表示制御部１３６は、問診項目について過去のデータ（問診入力情報）が未入力のＣブロックの入力画面を表示操作部１１１に表示する。表示制御部１３６は、未入力の問診項目について入力を促すメッセージを表示する。
【００５０】
表示制御部１３６は、各問診項目について患者からの入力を受け付ける。表示制御部１３６は、Ｃブロックの全項目が入力済みであるか否かを判定する。表示制御部１３６は、Ｃブロックの全項目が入力済みでないと判定した場合には、未入力である問診項目について入力を促すメッセージを表示する。表示制御部１３６は、Ｃブロックの全項目が入力済みであると判定した場合には、入力データのチェックを行う。
【００５１】
表示制御部１３６は、入力データのチェックとして、Ａブロックに対応する第１確認済情報、および、Ｂブロックに対応する第２確認済情報が入力されているか否かを判定する。これは、例えば、各ブロックの選択画面からＢブロックが選択された場合に、Ａブロックについて未確認である場合があるためである。表示制御部１３６は、第１確認済情報および第２確認済情報が入力されていない場合には、入力されていない確認済情報に対応するブロックの確認画面に戻って、患者に対して確認を促す。
【００５２】
表示制御部１３６は、第１確認済情報および第２確認済情報が入力されている場合には、電子カルテ記憶部１２１および問診票記憶部１２２を参照し、患者の属性情報および問診入力情報について、過去のデータとの差異があるか否かをチェックする。また、表示制御部１３６は、相関チェック条件記憶部１２６を参照し、関連する項目の情報が未更新であるか否かをチェックする。表示制御部１３６は、過去のデータとの差異があるか否か、および、関連する項目の情報が未更新であるか否かについて、チェック結果が「有」であるか否かを判定する。表示制御部１３６は、チェック結果が「有」であると判定した場合には、該当する問診項目について再確認画面を表示して、患者に再確認を促す。
【００５３】
表示制御部１３６は、チェック結果が「有」でないと判定した場合には、問診入力情報を問診票記憶部１２２に記憶する。なお、表示制御部１３６は、患者の属性情報が更新されている場合には、更新された患者の属性情報を電子カルテ記憶部１２１に記憶する。
【００５４】
表示制御部１３６は、問診入力情報を問診票記憶部１２２に記憶すると、患者が病院に来院していることを検出するためのビーコンを受信しているか否かを判定する。表示制御部１３６は、ビーコンを受信していないと判定した場合には、引き続き、ビーコンを受信しているか否かの判定を行う。表示制御部１３６は、ビーコンを受信していると判定した場合には、通信部１１０およびネットワークＮを介して、第１確認済情報と第２確認済情報とに基づく確認済情報、および、問診入力情報を病院の情報処理装置２００に送信する。なお、表示制御部１３６は、患者の属性情報が更新されている場合には、同様に、更新された患者の属性情報を病院の情報処理装置２００に送信する。
【００５５】
言い換えると、表示制御部１３６は、第２のグループに属する個別の項目について確認操作が完了したことを検出すると、第３のグループに属する項目について、過去の入力結果を反映させない状態で各項目の入力画面を表示する。また、表示制御部１３６は、特定の患者が受診する病院に来院した場合に、該病院の情報処理装置２００に対して、確認操作の操作情報、および、入力画面における入力情報を送信する。また、表示制御部１３６は、入力画面における入力情報と関連する項目の情報が未更新の場合、該関連する項目について、再度確認操作を要求する。また、第１要求部１３４、第２要求部１３５および表示制御部１３６は、選択を受け付けた診察科の問診の入力を受け付ける画面を表示する際に、属性情報と過去の問診入力情報に対応する項目については入力済みの状態にして画面を表示する。
【００５６】
次に、図１０から図１３を用いて、各ブロックのメッセージおよび入力画面、ならびに、再確認画面について説明する。図１０は、Ａブロックのメッセージおよび入力画面の一例を示す図である。図１０に示すように、携帯端末１００は、まず、メッセージ画面２３を表示し、Ａブロックの入力画面に関するメッセージ２３ａ，２３ｂ，２３ｃを表示する。次に、携帯端末１００は、Ａブロックの問診項目について、過去のデータが入力済みである入力画面２４を表示する。また、携帯端末１００は、入力画面２４に、一括して確認操作を受け付ける「ＯＫ」ボタンと「キャンセル」ボタンとを有するメッセージ２４ａを表示する。携帯端末１００は、「ＯＫ」ボタンが押下されると、一括確認を受け付け、「キャンセル」ボタンが押下されると、例えば、選択画面２２に戻る。
【００５７】
図１１は、Ｂブロックのメッセージおよび入力画面の一例を示す図である。図１１に示すように、携帯端末１００は、まず、メッセージ画面２５を表示し、Ｂブロックの入力画面に関するメッセージ２５ａ，２５ｂを表示する。また、携帯端末１００は、メッセージ画面２５に、注意喚起を行うマークを表示する。次に、携帯端末１００は、Ｂブロックの問診項目について、過去のデータが入力済みである入力画面２６を表示する。携帯端末１００は、問診項目２７について、メッセージ２７ａ，２７ｂを表示する。メッセージ２７ｂは、問診項目ごとに確認操作を受け付ける「ＯＫ」ボタンと「キャンセル」ボタンとを有する。携帯端末１００は、「ＯＫ」ボタンが押下されると、問診項目２７についての個別確認を受け付ける。続いて、携帯端末１００は、次の問診項目である問診項目２８に対応するメッセージ２８ａを表示する。携帯端末１００は、メッセージ２７ｂにおいて「キャンセル」ボタンが押下されると、例えば、選択画面２２に戻る。なお、図１１の例では、問診項目２８に対応する確認操作を受け付けるボタンが配置されたメッセージは省略している。
【００５８】
図１２は、Ｃブロックのメッセージおよび入力画面の一例を示す図である。図１２に示すように、携帯端末１００は、まず、メッセージ画面２９を表示し、Ｃブロックの入力画面に関するメッセージ２９ａ，２９ｂを表示する。次に、携帯端末１００は、Ｃブロックの問診項目について、未入力の状態である入力画面３０を表示する。携帯端末１００は、未入力である問診項目について、メッセージ３１ａ，３１ｂ，３１ｃに示すように、それぞれ入力を促すメッセージを表示する。また、携帯端末１００は、例えば、患者主訴について入力情報３２に示すように入力済みとなると、当該問診項目について、例えば、＜未入力＞の表示を＜入力済＞の表示に変更する。なお、入力済みの問診項目については、入力内容を表示するようにしてもよい。携帯端末１００は、Ｃブロックの全ての問診項目の入力を受け付けると、入力画面３０に図示しない完了ボタンを有するメッセージを表示する。携帯端末１００は、完了ボタンが押下されると、入力内容のチェックを行う。
【００５９】
図１３は、再確認画面の一例を示す図である。図１３に示すように、携帯端末１００は、問診項目について、過去のデータとの差異がある場合、または、関連する項目の情報が未更新である場合には、当該問診項目の入力内容について再確認を求める。携帯端末１００は、まず、メッセージ画面３３を表示し、再確認を求めるメッセージ３３ａを表示する。次に、携帯端末１００は、再確認を求める問診項目について、入力済みである入力画面３４を表示する。携帯端末１００は、問診項目３５について、メッセージ３５ａ，３５ｂを表示する。メッセージ３５ｂは、問診項目ごとに確認操作を受け付ける「ＯＫ」ボタンと「キャンセル」ボタンとを有する。携帯端末１００は、「ＯＫ」ボタンが押下されると、問診項目３５についての再確認を受け付ける。なお、携帯端末１００は、問診項目３５がタップされると、修正のための入力を受け付ける。続いて、携帯端末１００は、次の再確認を求める問診項目３６についても同様に再確認を求める。携帯端末１００は、「キャンセル」ボタンが押下されると、例えば、選択画面２２に戻る。なお、図１３の例では、問診項目３６に対応するメッセージは省略している。
【００６０】
続いて、情報処理装置２００の構成について説明する。図１に示すように、情報処理装置２００は、通信部２１０と、記憶部２２０と、制御部２３０とを有する。なお、情報処理装置２００は、図１に示す機能部以外にも既知のコンピュータが有する各種の機能部、例えば各種の入力デバイスや音声出力デバイス等の機能部を有することとしてもかまわない。
【００６１】
通信部２１０は、例えば、ＮＩＣ（Network  Interface  Card）等によって実現される。通信部２１０は、ネットワークＮを介して携帯端末１００と有線または無線で接続され、携帯端末１００との間で情報の通信を司る通信インタフェースである。通信部２１０は、携帯端末１００から受信した患者の識別情報、診察科情報および問診入力情報を制御部２３０に出力する。また、通信部２１０は、制御部２３０から入力された患者の電子カルテ情報および問診票情報を携帯端末１００に送信する。
【００６２】
記憶部２２０は、例えば、ＲＡＭ、フラッシュメモリ等の半導体メモリ素子、ハードディスクや光ディスク等の記憶装置によって実現される。記憶部２２０は、電子カルテ記憶部２２１と、問診票記憶部２２２とを有する。また、記憶部２２０は、制御部２３０での処理に用いる情報を記憶する。
【００６３】
電子カルテ記憶部２２１は、当該病院を受診したことのある患者の電子カルテ情報を記憶する。なお、電子カルテ記憶部２２１の項目等は、携帯端末１００の電子カルテ記憶部１２１と同様であるので、その詳細な説明は省略する。
【００６４】
問診票記憶部２２２は、当該病院を受診したことのある患者の過去の問診入力情報および今回の問診入力情報を記憶する。なお、問診票記憶部２２２の項目等は、携帯端末１００の問診票記憶部１２２と同様であるので、その詳細な説明は省略する。
【００６５】
制御部２３０は、例えば、ＣＰＵやＭＰＵ等によって、内部の記憶装置に記憶されているプログラムがＲＡＭを作業領域として実行されることにより実現される。また、制御部２３０は、例えば、ＡＳＩＣやＦＰＧＡ等の集積回路により実現されるようにしてもよい。制御部２３０は、抽出部２３１を有し、以下に説明する情報処理の機能や作用を実現または実行する。なお、制御部２３０の内部構成は、図１に示した構成に限られず、後述する情報処理を行う構成であれば他の構成であってもよい。
【００６６】
抽出部２３１は、ネットワークＮおよび通信部２１０を介して、携帯端末１００から患者の識別情報、診察科情報および問診入力情報を受信すると、電子カルテ記憶部２２１を参照し、受信した各種情報に応じて当該患者の電子カルテ情報を抽出する。また、抽出部２３１は、問診票記憶部２２２を参照し、受信した各種情報に応じて当該患者の過去の問診入力情報、つまり問診票情報を抽出する。抽出部２３１は、抽出した当該患者の電子カルテ情報および問診票情報を、通信部２１０およびネットワークＮを介して、携帯端末１００に送信する。
【００６７】
次に、実施例の入力制御システム１の動作について説明する。図１４および図１５は、実施例の入力制御処理の一例を示すフローチャートである。
【００６８】
携帯端末１００の受付部１３１は、問診票の入力を行うアプリの受付画面において、患者の識別情報および診察科の選択を受け付ける（ステップＳ１）。受付部１３１は、受け付けた患者の識別情報および選択された診察科を示す診察科情報を、病院の情報処理装置２００に送信する（ステップＳ２）。
【００６９】
情報処理装置２００の抽出部２３１は、携帯端末１００から患者の識別情報、診察科情報および問診入力情報を受信すると、電子カルテ記憶部２２１を参照し、受信した各種情報に応じて当該患者の電子カルテ情報を抽出する。また、抽出部２３１は、問診票記憶部２２２を参照し、受信した各種情報に応じて当該患者の問診票情報を抽出する。抽出部２３１は、抽出した当該患者の電子カルテ情報および問診票情報を携帯端末１００に送信する。
【００７０】
携帯端末１００の受付部１３１は、情報処理装置２００から対応する患者の電子カルテ情報および問診票情報を受信して取得する。受付部１３１は、取得した電子カルテ情報および問診票情報を、それぞれ電子カルテ記憶部１２１および問診票記憶部１２２に記憶する（ステップＳ３）。受付部１３１は、電子カルテ情報および問診票情報の記憶が完了すると、特定部１３２に患者の識別情報および特定指示を出力する。
【００７１】
特定部１３２は、受付部１３１から患者の識別情報および特定指示が入力されると、電子カルテ記憶部１２１および問診票記憶部１２２を参照し、患者の属性情報および過去の問診入力情報を特定する（ステップＳ４）。特定部１３２は、特定した患者の属性情報および過去の問診入力情報を分類部１３３に出力する。
【００７２】
分類部１３３は、特定部１３２から患者の属性情報および過去の問診入力情報が入力されると、患者の属性情報および過去の問診入力情報に基づいて、問診項目をＡ，Ｂ，Ｃブロックの各ブロックに分類する（ステップＳ５）。つまり、分類部１３３は、加点記憶部１２４を参照し、問診項目に対して加点または減点がある場合には、基礎点に加点または減点を行って問診項目の点数を決定する。分類部１３３は、問診項目に対して加点または減点がない場合には、基礎点を問診項目の点数と決定する。分類部１３３は、各問診項目の点数を決定すると、閾値記憶部１２５を参照し、ブロック間で移動する問診項目を抽出する。分類部１３３は、抽出した問診項目を移動先のブロックに移動する。
【００７３】
分類部１３３は、問診項目の各ブロックへの分類が完了すると、分類したＡ，Ｂ，Ｃブロックの選択画面を生成し、生成した選択画面を表示操作部１１１に表示する（ステップＳ６）。分類部１３３は、選択画面を表示すると、所定の時間待機後に、第１要求部１３４に患者の属性情報、過去の問診入力情報および第１確認指示を出力する。
【００７４】
第１要求部１３４は、分類部１３３から患者の属性情報、過去の問診入力情報および第１確認指示が入力されると、一括した確認操作に対応するメッセージを表示操作部１１１に表示する。その後、第１要求部１３４は、問診項目について過去のデータを入力済みのＡブロックの入力画面を表示操作部１１１に表示する。第１要求部１３４は、過去のデータを入力済みのＡブロックの問診項目について、一括した確認操作を要求する（ステップＳ７）。第１要求部１３４は、患者により一括した確認操作が行われると、当該確認操作に対応する第１確認済情報を第２要求部１３５に出力する。また、第１要求部１３４は、患者の属性情報、過去の問診入力情報および第２確認指示を第２要求部１３５に出力する。
【００７５】
第２要求部１３５は、第１要求部１３４から第２確認指示が入力されると、個別の確認操作に対応するメッセージを表示操作部１１１に表示する。その後、第２要求部１３５は、問診項目について過去のデータを入力済みのＢブロックの入力画面を表示操作部１１１に表示する。第２要求部１３５は、過去のデータを入力済みのＢブロックの問診項目について、項目ごとに確認操作を要求する（ステップＳ８）。第２要求部１３５は、患者により項目ごとに確認操作が行われ、Ｂブロックの全ての項目について確認操作が完了すると、当該確認操作に対応する第２確認済情報を表示制御部１３６に出力する。また、第２要求部１３５は、第１確認済情報、患者の属性情報、過去の問診入力情報および入力指示を表示制御部１３６に出力する。
【００７６】
表示制御部１３６は、第２要求部１３５から入力指示が入力されると、現在の状態の入力に対応するメッセージを表示操作部１１１に表示する。その後、表示制御部１３６は、問診項目について過去のデータが未入力のＣブロックの入力画面を表示操作部１１１に表示する（ステップＳ９）。表示制御部１３６は、未入力の問診項目について入力を促すメッセージを表示する（ステップＳ１０）。
【００７７】
表示制御部１３６は、各問診項目について患者からの入力を受け付ける。表示制御部１３６は、Ｃブロックの全項目が入力済みであるか否かを判定する（ステップＳ１１）。表示制御部１３６は、Ｃブロックの全項目が入力済みでないと判定した場合には（ステップＳ１１：否定）、ステップＳ１０に戻る。
【００７８】
表示制御部１３６は、Ｃブロックの全項目が入力済みであると判定した場合には（ステップＳ１１：肯定）、入力データのチェックを行う。つまり、表示制御部１３６は、過去のデータとの差異があるか否か、および、関連する項目の情報が未更新であるか否かをチェックする（ステップＳ１２）。
【００７９】
表示制御部１３６は、チェック結果が「有」であるか否かを判定する（ステップＳ１３）。表示制御部１３６は、チェック結果が「有」であると判定した場合には（ステップＳ１３：肯定）、該当する問診項目について再確認画面を表示して（ステップＳ１４）、患者に再確認を促し、ステップＳ１２に戻る。
【００８０】
表示制御部１３６は、チェック結果が「有」でないと判定した場合には（ステップＳ１３：否定）、問診入力情報を問診票記憶部１２２に記憶する（ステップＳ１５）。また、表示制御部１３６は、更新された患者の属性情報を電子カルテ記憶部１２１に記憶する。表示制御部１３６は、問診入力情報を問診票記憶部１２２に記憶すると、ビーコンを受信しているか否かを判定する（ステップＳ１６）。表示制御部１３６は、ビーコンを受信していないと判定した場合には（ステップＳ１６：否定）、ステップＳ１６の判定を繰り返す。
【００８１】
表示制御部１３６は、ビーコンを受信していると判定した場合には（ステップＳ１６：肯定）、確認済情報および問診入力情報を病院の情報処理装置２００に送信する（ステップＳ１７）。また、表示制御部１３６は、更新された患者の属性情報を情報処理装置２００に送信する。これにより、携帯端末１００は、問診票の入力情報の精度を向上できる。また、携帯端末１００は、不用意な再利用が重大インシデントに繋がる項目について確認または入力を促すことができる。また、携帯端末１００は、来院前に問診票の記入ができるので、来院後に問診票記入のために時間がかかることに対する患者の不満を抑えることができる。
【００８２】
このように、携帯端末１００は、患者の識別情報の入力を受け付けるとともに、患者が受ける診察科の選択を受け付ける。また、携帯端末１００は、患者の識別情報と患者のカルテ情報とを対応付けて記憶する電子カルテ記憶部１２１を参照して、患者のカルテ情報に含まれる患者の属性情報を特定するとともに、患者の過去の問診入力情報がある場合には、過去の問診入力情報を特定する。また、携帯端末１００は、選択を受け付けた診察科の問診の入力を受け付ける画面を表示する際に、属性情報と過去の問診入力情報に対応する項目については入力済みの状態にして画面を表示する。その結果、携帯端末１００は、問診票の入力情報の精度を向上できる。
【００８３】
また、携帯端末１００は、特定の患者の問診データの入力の際に、問診項目についての入力結果を記憶する問診票記憶部１２２から該特定の患者に対応する過去の入力結果を取得する。また、携帯端末１００は、第１のグループに属する問診項目については、過去の入力結果に基づいて、予め各項目についてデータを入力済の画面を提示するとともに、該第１のグループに属する全項目、または、一部の項目についての一括した確認操作を要求する。また、携帯端末１００は、一括した確認操作に応じて表示する、第２のグループに属する問診項目については、過去の入力結果に基づいて予め各項目についてデータを入力済の画面を提示するとともに、該第２のグループに属する個別の項目について確認操作を要求する。その結果、携帯端末１００は、問診票の入力情報の精度を向上できる。
【００８４】
また、携帯端末１００は、第２のグループに属する個別の項目について確認操作が完了したことを検出すると、第３のグループに属する項目について、過去の入力結果を反映させない状態で各項目の入力画面を表示する。その結果、携帯端末１００は、患者の主訴等の情報を入力させるので、問診票の入力情報の精度を向上できる。
【００８５】
また、携帯端末１００では、問診項目は、項目ごとに基礎点が設定される。また、携帯端末１００は、基礎点に対して所定の条件に基づき加点または減点した点数に応じて、問診項目を第１のグループ、第２のグループまたは第３のグループに分類する。その結果、携帯端末１００は、更新される可能性が高い問診項目を、より確認操作が細かいグループ、または、入力を要求するグループに分類できる。
【００８６】
また、携帯端末１００では、所定の条件は、特定の患者の属性、および、特定の患者の前回来院日のうち、１つまたは複数に基づく条件である。その結果、携帯端末１００は、更新される可能性が高い問診項目を、より確認操作が細かいグループ、または、入力を要求するグループに分類できる。
【００８７】
また、携帯端末１００は、特定の患者が受診する病院に来院した場合に、該病院の情報処理装置２００に対して、確認操作の操作情報、および、入力画面における入力情報を送信する。その結果、携帯端末１００は、病院に来院しない患者の問診票データの更新を防止できる。
【００８８】
また、携帯端末１００は、入力画面における入力情報と関連する項目の情報が未更新の場合、該関連する項目について、再度確認操作を要求する。その結果、携帯端末１００は、問診票の入力情報の精度を向上できる。
【００８９】
なお、上記実施例では、入力画面における患者からの入力の受け付けについて、表示操作部１１１を用いたが、これに限定されない。例えば、図示しないマイクを用いて音声入力を行ってもよい。
【００９０】
また、上記実施例では、携帯端末１００が病院内であるか否かをビーコンの受信可否に基づいて判定したが、これに限定されない。例えば、携帯端末１００にＧＰＳ（Global  Positioning  System）受信機を設け、ＧＰＳ受信機によって測位した位置情報に基づいて、携帯端末１００が病院内であるか否かを判定してもよい。
【００９１】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、第１要求部１３４と第２要求部１３５と表示制御部１３６とを統合してもよい。また、図示した各処理は、上記の順番に限定されるものでなく、処理内容を矛盾させない範囲において、同時に実施してもよく、順序を入れ替えて実施してもよい。
【００９２】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００９３】
ところで、上記の各実施例で説明した各種の処理は、予め用意されたプログラムをコンピュータで実行することで実現できる。そこで、以下では、上記の各実施例と同様の機能を有するプログラムを実行するコンピュータの一例を説明する。図１６は、問診情報入力支援プログラムまたは問診情報入力制御プログラムを実行するコンピュータの一例を示す図である。
【００９４】
図１６に示すように、コンピュータ３００は、各種演算処理を実行するＣＰＵ３０１と、データ入力を受け付ける入力装置３０２と、モニタ３０３とを有する。また、コンピュータ３００は、記憶媒体からプログラム等を読み取る媒体読取装置３０４と、各種装置と接続するためのインタフェース装置３０５と、他の情報処理装置等と有線または無線により接続するための通信装置３０６とを有する。また、コンピュータ３００は、各種情報を一時記憶するＲＡＭ３０７と、フラッシュメモリ３０８とを有する。また、各装置３０１〜３０８は、バス３０９に接続される。
【００９５】
フラッシュメモリ３０８には、図１に示した受付部１３１、特定部１３２、分類部１３３、第１要求部１３４、第２要求部１３５および表示制御部１３６の各処理部と同様の機能を有する問診情報入力支援プログラムまたは問診情報入力制御プログラムが記憶される。また、フラッシュメモリ３０８には、電子カルテ記憶部１２１、問診票記憶部１２２、基礎点記憶部１２３、加点記憶部１２４、閾値記憶部１２５、および、相関チェック条件記憶部１２６が記憶される。また、フラッシュメモリ３０８には、問診情報入力支援プログラムまたは問診情報入力制御プログラムを実現するための各種データが記憶される。
【００９６】
入力装置３０２は、例えば、コンピュータ３００のユーザから操作情報等の各種情報の入力を受け付ける。モニタ３０３は、例えば、コンピュータ３００のユーザに対して表示画面等の各種画面を表示する。インタフェース装置３０５は、例えば印刷装置等が接続される。通信装置３０６は、例えば、図１に示した通信部１１０と同様の機能を有しネットワークＮと接続され、情報処理装置２００と各種情報をやりとりする。
【００９７】
ＣＰＵ３０１は、フラッシュメモリ３０８に記憶された各プログラムを読み出して、ＲＡＭ３０７に展開して実行することで、各種の処理を行う。また、これらのプログラムは、コンピュータ３００を図１に示した受付部１３１、特定部１３２、分類部１３３、第１要求部１３４、第２要求部１３５および表示制御部１３６として機能させることができる。
【００９８】
なお、上記の問診情報入力支援プログラムまたは問診情報入力制御プログラムは、必ずしもフラッシュメモリ３０８に記憶されている必要はない。例えば、コンピュータ３００が読み取り可能な記憶媒体に記憶されたプログラムを、コンピュータ３００が読み出して実行するようにしてもよい。コンピュータ３００が読み取り可能な記憶媒体は、例えば、ＣＤ−ＲＯＭやＤＶＤ（Digital  Versatile  Disc）、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの問診情報入力支援プログラムまたは問診情報入力制御プログラムを記憶させておき、コンピュータ３００がこれらから当該プログラムを読み出して実行するようにしてもよい。
【符号の説明】
【００９９】
１  入力制御システム
１００  携帯端末
１１０  通信部
１１１  表示操作部
１２０  記憶部
１２１  電子カルテ記憶部
１２２  問診票記憶部
１２３  基礎点記憶部
１２４  加点記憶部
１２５  閾値記憶部
１２６  相関チェック条件記憶部
１３０  制御部
１３１  受付部
１３２  特定部
１３３  分類部
１３４  第１要求部
１３５  第２要求部
１３６  表示制御部
２００  情報処理装置
２１０  通信部
２２０  記憶部
２２１  電子カルテ記憶部
２２２  問診票記憶部
２３０  制御部
２３１  抽出部
Ｎ  ネットワーク
【図１】
2019091219.tif 000003
【図２】
2019091219.tif 000004
【図３】
2019091219.tif 000005
【図４】
2019091219.tif 000006
【図５】
2019091219.tif 000007
【図６】
2019091219.tif 000008
【図７】
2019091219.tif 000009
【図８】
2019091219.tif 000010
【図９】
2019091219.tif 000011
【図１０】
2019091219.tif 000012
【図１１】
2019091219.tif 000013
【図１２】
2019091219.tif 000014
【図１３】
2019091219.tif 000015
【図１４】
2019091219.tif 000016
【図１５】
2019091219.tif 000017
【図１６】
2019091219.tif 000018